(57)【特許請求の範囲】
【請求項１】
ラックを備えた基体と、
前記ラックに沿って昇降自在に設けられる球誘導可動体と、
前記球誘導可動体に球が通過する間隔を存して開閉自在に軸支され、かつ支軸部に歯車を設けた開閉翼片と、
前記球誘導可動体を連繋手段を介して昇降させる駆動手段とを備え、
前記駆動手段による昇降運動で前記開閉翼片を備えた球誘導可動体を上方位置と下方位置とに変位するとともに前記開閉翼片が前記歯車とラックの噛合により開閉しうるようにしたことを特徴とする可変入賞装置。
【請求項２】
ラックを備えた基体と、
前記ラックに沿って昇降自在に設けられる球誘導可動体と、
前記球誘導可動体に球が通過する間隔を存して開閉自在に軸支され、かつ支軸部に歯車を設けた開閉翼片と、
前記球誘導可動体を連繋手段を介して昇降させるソレノイドとを備え、
前記連繋手段は前記球誘導可動体に設けられるラックと該ラックに噛合する歯車付き回転体と前記ソレノイドに設けられ前記回転体と関連させる作動腕とで構成され、
前記ソレノイドの進退運動で前記回転体を所定角度範囲で正逆回転させて前記開閉翼片を備えた球誘導可動体を昇降運動させると共に前記開閉翼片を前記球誘導可動体の上方位置で閉状態とし、下方位置で開状態としうるようにしたことを特徴とする可変入賞装置。
【請求項３】
球受入口と、該球受入口の上方に所定の間隔をおいて設けられる球通過ゲートと、前記球通過ゲートと球受入口の間に対称に設けられるラック付きガイド孔と、前記球誘導可動体の昇降を規制する上限及び下限ストッパーと、前記上限及び下限ストッパー間に設けられるガイド部とを備えた基体と、
前記基体に昇降自在に設けられ、前記基体の前面に球誘導口を介して設けられる前面板と、前記球誘導口の両側に前記ガイド孔のラックに噛合する歯車部を備えた開閉翼片と、前記ガイド部に沿って昇降するガイド枠体とを備え、前記前面板と開閉翼片とガイド枠体とが開閉翼片の支軸により共動可能に結合された球誘導可動体と、
前記球誘導可動体を連繋手段を介して昇降させるソレノイドとを備え、
前記連繋手段は前記球誘導可動体に設けられるラックと該ラックに噛合する歯車付き回転体と前記ソレノイドに設けられ前記回転体と関連させる作動腕とで構成され、
前記ソレノイドの進退運動で前記回転体を所定角度範囲で正逆回転させて前記開閉翼片を備えた球誘導可動体を前記球通過ゲートと球受入口との間で昇降運動させると共に前記開閉翼片を前記球誘導可動体の上方位置で閉状態とし、下方位置で開状態としうるようにしたことを特徴とする可変入賞装置。
【請求項４】
前記球誘導可動体の前面板と前記球受入口の前面板との対向面を相互に合致しうる形状に設け、前記球誘導可動体の降下時に該球誘導可動体の前面板と球受入口の前面板を嵌合しうるようにした請求項３に記載の可変入賞装置。
【請求項５】
前記歯車部付き回転体に復帰用の重りを付けた請求項２ないし４のいずれかに記載の可変入賞装置。
【発明の詳細な説明】
【０００１】
【発明の属する技術分野】
この発明は、パチンコ遊技機の可変入賞装置に関し、球受入口の上限位置の第１状態と下限位置の第２状態に変位しうる球誘導可動体を備えた可変入賞装置に関する。
【０００２】
【従来の技術】
従来、この種の入賞装置として、翼片を起立して打球を入りにくくしたり、翼片を倒して開き打球を入りやすくする開閉翼片を球受入口に開閉自由に軸支し、ソレノイドでこの開閉翼片を開閉自由に備えたものがあり（特許２７７９９２０号公報参照）、ＣＲ機などの遊技機の始動口などに使用され、始動口に入ることにより図柄表示装置の図柄が変動を開始するようにされている。また、基体の上部に球受けを設け、その直下に開閉羽根を備えた下部球受けを備えた入賞装置がある（実用新案登録３０４７５５８号公報参照）。
【０００３】
【発明が解決しようとする課題】
上記した入賞装置で前者のものは、球受入口の開閉翼片が同じ位置で開閉するだけで、変化に乏しく、始動口として使用する場合には、その開閉翼片の開放時の時間を図柄表示装置の特定図柄に応じて変化させるようにしているだけで興趣に乏しく、また、後者のものは上部の球受けには打球が入り、またソレノイドの作動で下部の球受けの開閉羽根が開放されて横方向から打球が入りうるようにするもので、上部球受けと下部球受けは別個に球が排出されるので構成が複雑で、羽根が同じ位置で開閉するだけであるから変化に乏しく課題となっている。
【０００４】
この発明は従来のこのような問題点を解消するもので、球受口の上部に上下に動作して変位しうる球誘導可動体を備えることで、従来の入賞装置との区別化を図り、商品価値を向上させた可変入賞装置を提供することを目的とする。すなわち、遊技盤の始動口等に使用される球受入口に球誘導可動体を上限位置の第１状態と下限位置の第２状態に変位させ、球受入口の上部における打球の入り方に変化に富ませて興趣を向上させうる可変入賞装置を提供することを目的とする。また、球誘導可動体に開閉する開閉翼片を備え、ソレノイド等駆動手段で球誘導可動体を基体のガイド部に沿って開閉翼片とともに上限位置の第１状態と下限位置の第２状態に昇降するとともに開閉翼片を昇降しながら所定範囲で開閉可能として変化に富ませた可変入賞装置を提供することを目的とする。
【０００５】
基体に上部の球通過ゲートと下部の球受入口を離隔して設け、その球通過ゲートと球受入口との間に球誘導可動体を昇降可能に備えて変化に富ませた可変入賞装置を提供することを目的とする。球誘導可動体のガイド手段として、球誘導可動体を基体のガイド部に所定ストローク昇降可能に備え、開閉翼片の回動手段として、翼片とガイド孔をラックアンドピニオン構造で係合して開閉翼片を昇降に伴い開閉できるようにした可変入賞装置を提供することを目的とする。
【０００６】
前記球誘導可動体を昇降させる駆動手段として、可動体のガイド手段と回転体をラックアンドピニオンの構造で連繋するとともに回転体とソレノイドを作動腕で連繋してソレノイドの進退運動をガイド枠体の昇降運動に変換できるようにした可変入賞装置を提供することを目的とする。かつまた、球誘導可動体と球受入口の対向面は相互に嵌合しうる形状として、球誘導可動体の降下時に球受入口に合致させうるようにすることを目的とする。また、回転体には復帰用の重りを備えて球誘導可動体が確実に第１状態に復帰しうるようにすることを目的とする。
【０００７】
【課題を解決する手段】
この発明の請求項１の可変入賞装置は、ラックを備えた基体と、
前記ラックに沿って昇降自在に設けられる球誘導可動体と、
前記球誘導可動体に球が通過する間隔を存して開閉自在に軸支され、かつ支軸部に歯車を設けた開閉翼片と、
前記球誘導可動体を連繋手段を介して昇降させる駆動手段とを備え、
前記駆動手段による昇降運動で前記開閉翼片を備えた球誘導可動体を上方位置と下方位置とに変位するとともに前記開閉翼片が前記歯車とラックの噛合により開閉しうるようにしたことを特徴とするものである。
【０００９】
この発明の請求項２の可変入賞装置は、ラックを備えた基体と、
前記ラックに沿って昇降自在に設けられる球誘導可動体と、
前記球誘導可動体に球が通過する間隔を存して開閉自在に軸支され、かつ支軸部に歯車を設けた開閉翼片と、
前記球誘導可動体を連繋手段を介して昇降させるソレノイドとを備え、
前記連繋手段は前記球誘導可動体に設けられるラックと該ラックに噛合する歯車付き回転体と前記ソレノイドに設けられ前記回転体と関連させる作動腕とで構成され、
前記ソレノイドの進退運動で前記回転体を所定角度範囲で正逆回転させて前記開閉翼片を備えた球誘導可動体を昇降運動させると共に前記開閉翼片を前記球誘導可動体の上方位置で閉状態とし、下方位置で開状態としうるようにしたことを特徴とするものである。
【００１２】
この発明の請求項３の可変入賞装置は、球受入口と、該球受入口の上方に所定の間隔をおいて設けられる球通過ゲートと、前記球通過ゲートと球受入口の間に対称に設けられるラック付きガイド孔と、前記球誘導可動体の昇降を規制する上限及び下限ストッパーと、前記上限及び下限ストッパー間に設けられるガイド部とを備えた基体と、
前記基体に昇降自在に設けられ、前記基体の前面に球誘導口を介して設けられる前面板と、前記球誘導口の両側に前記ガイド孔のラックに噛合する歯車部を備えた開閉翼片と、前記ガイド部に沿って昇降するガイド枠体とを備え、前記前面板と開閉翼片とガイド枠体とが開閉翼片の支軸により共動可能に結合された球誘導可動体と、
前記球誘導可動体を連繋手段を介して昇降させるソレノイドとを備え、
前記連繋手段は前記球誘導可動体に設けられるラックと該ラックに噛合する歯車付き回転体と前記ソレノイドに設けられ前記回転体と関連させる作動腕とで構成され、
前記ソレノイドの進退運動で前記回転体を所定角度範囲で正逆回転させて前記開閉翼片を備えた球誘導可動体を前記球通過ゲートと球受入口との間で昇降運動させると共に前記開閉翼片を前記球誘導可動体の上方位置で閉状態とし、下方位置で開状態としうるようにしたことを特徴とするものである。
【００１３】
請求項４の発明は、請求項３記載の可変入賞装置の球誘導可動体１０の前面板１２と下部の球受入口２の前面板２ａとの対向面を相互に合致しうる形状に設け、球誘導可動体１０の降下時に球誘導可動体１０の前面板を球受入口２の前面板２ａ上に嵌合しうるようにしたものである。
【００１４】
請求項５の発明は、請求項２ないし４のいずれかに記載の可変入賞装置の前記歯車部付き回転体３５に復帰用の重り３７を付けたものである。
【００１５】
前記した発明の構成によれば、基体１の下部の球受入口２の上方にガイド部に沿って所定ストローク昇降可能に設けた球誘導可動体１０を駆動手段により昇降運動させ、球誘導可動体１０を上限位置の第１状態と下限位置の第２状態に変位可能とし、球誘導可動体が第１状態と第２状態において球を受入れ通過させ下部の球受入口に誘導できるようにして、変化に富ませて遊戯者の興趣を向上させる。
【００１６】
前記した発明の構成によれば、球誘導可動体１０の前面板１２と共動するガイド枠体１４を基体１に設けたガイド部５に沿って昇降可能とするとともに所定ストロークのガイド孔５ａに沿って昇降可能に設けたので、球誘導可動体１０を安定して第１状態から第２状態に昇降することができる。
【００１７】
前記した発明の構成によれば、球誘導可動体１０の前面板１２と回動手段１３ａを設けた開閉翼片１３を基体１のガイド部５に沿って昇降可能としたガイド枠体１４を共動して所定ストローク昇降でき、その昇降に伴い開閉翼片１３の回動手段１３ａをガイド孔５ａに沿って回動させることができ、駆動手段によるガイド手段１４の昇降運動で球誘導可動体１０を上限位置の第１状態と下限位置の第２状態に変位可能とするとともに開閉翼片１３を開閉することができ、上限位置では翼片が閉じた状態で球が翼片１３間を通じて下部の球受入口２に入賞し、また、下限位置では翼片１３が開放されて球が上方と横方向より流入して翼片１３間を通じて下部の球受入口２に入賞する。
【００１８】
前記した発明の構成によれば、可変入賞装置の基体の下部の球受入口２と上部の球通過ゲート４との間で球誘導可動体１０を第１状態と第２状態に変位可能に設けることができ、上限位置の第１状態では球通過ゲート４の直下に近接させるので、開閉翼片１３の上部に直接打球が当たるのを防止できる。球受入口２の直上の下限位置の第２状態では開閉翼片１３が開放されて打球が横方向より入ることができ、入賞の機会を多くでき遊戯者の興趣を高めることができる。
【００１９】
前記した発明の構成によれば、球誘導可動体１０のガイド手段として、該可動体１０の背面のガイド枠体１４を基体１のガイド突起７に沿って昇降可能とし、かつ開閉翼片１３の回動手段として開閉翼片１３の支軸部１３ｂの歯車部１３ａを基体１の両側に設けた所定ストロークのガイド孔５ａに設けたラック６に噛合させたので、該可動体１０をガイド突起７に沿って昇降することによりガイド孔５ａのラック６に噛合させた開閉翼片１３の歯車部１３ａを回動しながら昇降して翼片１３を所定範囲で開閉することができる。
【００２０】
この発明の可変入賞装置の構成によれば、基体１の上部の球通過ゲート４と下部の球受入口２間に球誘導可動体１０を配し、球通過ゲート４と球受入口２の間の両側に対称に設けたラック付きガイド孔５ａのラック６に球誘導可動体１０の両側の開閉翼片１３の歯車部１３ａを噛み合わせて配し、該前面板１２と開閉翼片１３を、基体１の背面に設けた上限と下限のストッパー８、９間でガイド部５に沿って昇降可能としたガイド枠体１４と支軸１５で共動可能に結合し所定ストローク昇降でき、この昇降しうるガイド枠体１４の背面のラック１８に歯車部付き回転体３５を介してソレノイド３０の作動腕４０と関連させたので、ソレノイドの進退運動で回転体を所定角度範囲で正逆回転させてラック１８と回転体３５の歯車部３５ａのラックアンドピニオン構造でガイド枠体を昇降運動させて球誘導可動体を球通過ゲート直下の第１状態から下部の球受入口の直上の間で昇降させるとともに翼片の歯車部１３ａと基体のガイド孔５ａのラック６とのラックアンドピニオン構造で翼片を第１状態で閉とし、第２状態で開とすることができるので、興趣を増大することができる。前記ソレノイド３０を各種役物の制御装置の発する所定の信号に対応して任意の時間励磁して球誘導可動体１０を昇降しうるようにして、球誘導可動体の昇降時間、開閉時間を任意に変位できるようにすることができる。
【００２１】
この発明の構成によれば、球誘導可動体１０の前面板１２と下部の球受入口２の前面板１２との対向面を相互に合致しうる形状としたので、球誘導可動体１０を降下して球受入口２の前面板２ａ上に嵌合して合致させることができ、球誘導可動体１０を下限位置で位置決めして安定保持できる。また、球誘導可動体１０と球受入口２の前面板の模様、図柄、文字等を合わせるようにすることができる。
【００２２】
この発明の構成によれば、可変入賞装置の前記歯車部付き回転体３５に復帰用の重り３７を付けたので、ソレノイド３０のバネによる復帰時に回転体がバネで引っ張られるとともに重り３７の自重の作用で復帰されるので、球誘導可動体が上方位置に確実に戻される。
【００２３】
【発明の実施の形態】
以下に、この発明の実施形態を図面に基づいて説明する。図１はこの発明の可変入賞装置の一部破断正面図、図２は同中央縦断面図、図３は同一部破断平面図、図４は同一部破断背面図、図５は可変入賞装置の別の実施形態で、翼片を閉じた状態の正面図、図６は同側面図、図７は開閉翼片を開放した状態の正面図、図８は同側面図、図９は同平面図、図１０はこの発明の可変入賞装置を備えた遊技盤の正面図である。
【００２４】
図１乃至図４に示すこの発明の可変入賞装置の実施形態では、１はパチンコ遊技盤Ａに取付ける基体で、該基体１の下部に球受入口２が備えられる。該球受入口２はポケット状で基体１に設けた開口３の前面に取付けられる。球受入口２の底部は後方へ球を排出するために傾斜状の誘導面２ｂが設けられ、開口３、排出樋等を通じ、遊技盤５０の開口に取付けられ遊技盤５０の背面側の入賞球排出通路（図示せず）に流下するように設けられる。図５乃至図８に示す可変入賞装置は基体１、開閉翼片の形状が前記実施形態と異なるだけで、その他の構成は同じである。
【００２５】
図１乃至図９において、基体１には球受入口２の上方に所定の間隔をおいて球通過ゲート４が設けられ、その球通過ゲートと球受入口との間で球誘導可動体１０が第１状態と第２状態に変位可能に設けられている。実施形態ではその球通過ゲート４と下部の球受入口２との間の両側に所定の間隔を存してガイド部５として、基体１の両側に縦方向にガイド孔５ａが設けられ、かつ基体１の背面の中央にガイド突起７が形成されている。そして、該ガイド孔５ａは開閉翼片１３の基部の支軸部１３ｂに歯車部１３ａを設けるので、少なくとも歯車部１６が回転しながら昇降しうる広さが必要であり、両側のガイド孔５ａの内面に開閉翼片１３の歯車部１３ａが噛合されるラック６が形成され、ガイド孔のストロークは少なくとも上端で翼片を閉じ、下端で翼片を倒して開放できるように翼片の支軸部（歯車部）を上下しうるストロークとする。また、両側のガイド孔５ａの間隔は少なくとも開閉翼片１３間を球が通過しうる間隔Ｂとする。実施形態では基体１の両側のガイド孔間の中央部を背面側に若干突出して厚みを厚くしてガイド孔５ａと連続してその中央部の両面にラック６が形成され、かつ背面の中央にガイド突起７が形成されている。なお、球通過ゲート４の代わりに遊技盤或いは基体の上端部に釘を打ち付けて開閉翼片１３の上部に打球が直接当たらないようにすることも自由にできる。なお、基体１には両端に取付け孔２４が設けられ、遊技盤にビス止めされる。また、２０は後述のソレノイド収容筺２１の取付けボス部である。前記した基体、球受入口、前面板、開閉翼片、ガイド枠体、後述の回転体、作動腕等は合成樹脂製等である。
【００２６】
また、基体１の背面には上部の両側に球誘導可動体の昇降ストローク、すなわち、ガイド枠体１４の所定ストロークＬを規制する上限ストッパー８と下限ストッパー９が突出して形成され、中央にガイド突起７が形成されている。上限ストッパー８はガイド枠体１４が上昇して当たると開閉翼片１３が上方位置の第１状態の閉じた状態となり、下限ストッパー９はガイド枠体１４が降下して当たると開閉翼片１３が下方位置の第２状態の開放状態となるようにする。実施形態で、上限ストッパー８は基体１の背面の上部両側に突設され、ガイド枠体１４の両側の上面が当接しうるように設けられ、かつ下限ストッパー９はガイド枠体１４の中央のガイドレール１６の下端に基体１より突出して形成され、ガイド枠体１４の下面中央が当接しうるように設けられている。なお、球誘導可動体の昇降ストロークは、実施形態ではガイド孔の長さに余裕を持たせ、上限と下限ストッパーで規制したが、ガイド孔の長さで規制することもできる。
【００２７】
１０は球誘導可動体で、前面板１２と開閉翼片１３と背面のガイド枠体１４とから構成されている。前面板１２と基体１との間に球誘導口１１が構成され、該前面板１２と基体１との間の球誘導口１１の両側に少なくとも翼片間に打球が通過する間隔Ｂを存して開閉翼片１３が配置され、前面板１２側から翼片の基部、背面側の支軸部１３ｂ、基体１のガイド孔５ａを通じて裏面のガイド枠体１４の支軸部の支持孔１４ａに支軸１５が挿通されて止め金１９で止められて共動可能に結合され、前面板１２と開閉翼片１３とガイド枠体１４が共動して昇降可能とされている。この実施形態では両側の翼片間に球が通過しうる間隔を存したが、これに限られるものではなく、翼片間を狭めてもよい。
【００２８】
球誘導可動体１０のガイド手段として、前面板１２と開閉翼片１３とガイド枠体１４が基体１の背面に設けた前記上限と下限のストッパー８、９間でガイド部５のガイド突起７と基体１に設けたガイド孔５ａを所定ストローク昇降可能に備えられる。すなわち、前面板１２の背面の支軸部１２ａに開閉翼片１３の基部が支持され、かつ該開閉翼片１３の背面側の支軸部１３ｂに設けた歯車部１３ａが前記基体１のガイド孔５ａのラック６に噛合させられ、支軸１５が前面板１２側の支軸部１２ａより開閉翼片１３の基部、その背面側の筒状支軸部１３ｂを通じて背面のガイド枠体１４の支軸部の支持孔１４ａを通じて挿通されて止め金（Ｅリング）で止められ、前面板１２と開閉翼片１３とガイド枠体１４とが共動可能に結合されて球誘導可動体１０が構成され、そのガイド枠体１４が上限と下限ストッパー８、９間でガイド突起に沿ってガイドレール１６によりガイドされて所定ストローク昇降される。
また、開閉翼片１３の回動手段として、開閉翼片１３の基部の背面側に突出させた筒状支軸部１３ｂの周面に扇状に歯車部１３ａが形成され、該歯車部１３ａが前記基体１のガイド孔５ａに設けたラック６の歯に噛合せられて、開閉翼片１３の昇降に伴い開閉しうるように設けられている。すなわち、歯部１３ａの上昇で翼片を基部を支軸１５を支点として起立させ、またその下降で翼片を支軸を支点として傾倒させる。該歯車部１３ａの厚みは前記ラック６とほぼ同じとするのが好ましい。なお、回動手段として、翼片の基部とガイド孔と間にラックアンドピニオン構造を設けた場合を示したが、これに限られるものではない。
【００２９】
ガイド枠体１４は前面板１２とほぼ同じ幅とした断面コ字型で、両側に前記支軸１５が挿通され、その中央部に基体１の背面に形成されたガイド突起７に嵌合しうる所定間隔のガイドレール１６が形成され、ガイドレール１６の上端にはレール内に基体１に背面を転動する回転ローラー１７が回転自由に軸支され、かつその背面中央にはラック１８が形成されている。ガイド枠体１４はガイドレール１６がガイド突起７に嵌合されて、ガイドローラー１７が基体１の背面に接して転動するようにしてガイド突起７に沿って円滑に昇降しうるようにしてある。このガイド枠体１４には前記のように前面板１２側より支軸１５を挿入し、その支軸１５に開閉翼片１３を回転自由に軸支し、該支軸１５を前記ガイド孔５ａを通じて挿通して止め金１９で止めて、前面板１２と開閉翼片１３、背面のガイド枠体１４が共動して昇降しうるように設けられている。而して、球誘導可動体１０は背面のガイド枠体１４が基体１のガイド突起７に沿って昇降されるとともに開閉翼片１３の基部と前記ガイド孔５ａとが開閉翼片１３の基部の支軸部１３ｂの歯車手段の扇状歯車部１３ａとガイド孔５ａのラック６とのラックアンドピニオンの構成で噛合され、ガイド孔５ａの直線のラック６に沿って回動しながら昇降可能に備えられる。而して、ガイド枠体１４の昇降ストロークは前記基体１の背面に設けた上限ストッパー８と下限ストッパー９とで規制されて、開閉翼片が上限で閉となり、下限で翼片が開となるように設定されている。
【００３０】
また、前記球誘導可動体１０の前面板１２の下面の形状は下部の球受入口２の前面板２ａの上面の形状と相互に嵌合しうる形状とする。例えば、球誘導可動体の前面板の下面形状を山形とし、対向する球受入口の前面板上面をその山形が嵌合しうるＶ字型とする。このようにすることにより球誘導可動体１０が降下して球受入口２にほぼ嵌合状とでき、前面板の図柄、模様が合体して合わせるようにすれば、一層興趣を向上できる。また、球誘導可動体１０が上限位置の第１状態では球通過ゲートの直下に近接させるので、開閉翼片の上部に直接打球が当たるのを防止できる。
【００３１】
球誘導可動体の前面板と共動するガイド枠体１４を昇降する手段として、該ガイド枠体１４に適宜駆動手段が設けられ、ガイド枠体１４が適宜駆動手段により昇降運動されると、ガイド枠体１４がガイド突起７に沿って所定ストローク昇降されるとともに開閉翼片１３の基部の歯車部１３ａがラック６に沿って回動されて昇降運動されるとともに開閉翼片１３が開閉される。実施形態では、駆動手段として、球誘導可動体のガイド手段であるガイド枠体１４の背面側にソレノイド３０を位置させ、該ソレノイド３０の進退運動を昇降運動に変換しうる連繋手段３１を介してガイド枠体１４に関連させ、ソレノイド３０の進退運動でガイド枠体１４の昇降運動に変換しうるようにする。
【００３２】
前記球誘導可動体１０のガイド枠体１４をソレノイド３０の進退運動で昇降運動させるための連繋手段３１は、前記ガイド枠体１４の背面のラック１８と歯車部付き回転体３５と作動腕４０とで構成されている。ソレノイド３０を収容する金属製等の収容筺２１が基体１の背面に所定の間隔をおいて取付けボス部２０にビス止めされ、該収容筺２１にソレノイド３０が収容され、その前部においてガイド枠体１４のラック１８に噛合させる扇状の歯車部３５ａを有する回転体３５が支軸２３に回転自由に軸支され、該回転体３５とソレノイド３０のアクチュエーター３２が作動腕４０で連繋され、ソレノイド３０の進退運動で回転体３５が正逆回転され、その回転運動によりラック付きガイド枠体１４が基体１のガイド突起７に沿って昇降運動される。３３は復帰用バネである。ガイド枠体とソレノイドを連繋させる手段は実施形態ではラックアンドピニオンの構成としたが、これに限られるものではない。
【００３３】
ソレノイド３０の進退運動で回転体３５を回動する手段として、実施形態では回転体３５の両周面の偏心位置の上部に凸軸３６と下部に復帰用重り３７が設けられ、該凸軸３６を作動腕４０で進退できるように連接され、前記歯車部付き回転体３５の周面の偏心位置に復帰用重り３７を付けることにより、ソレノイドの消磁のときソレノイドのアクチュエーターはバネの付勢力で戻されるとともに回転体も作動腕で引っ張られる力と重りの自重作用による助力で元の位置に確実に戻される。
また作動腕４０はクランク状でその一端が二股状に形成されて前記回転体３５の凸軸３６に遊嵌させる逆Ｕ字状連結部４１が形成され、かつ他端にはソレノイド３０のアクチュエーター３２の先端部３２ａを嵌合する嵌合溝４２が形成されている。この作動腕４０の両側にガイド突片４３が設けられ、該ガイド突片４３が前記収容筺２１の両側に先端より設けた案内溝２２に嵌合され、作動腕４０はソレノイド３０の進退運動で案内溝２２に沿って所定ストローク進退運動しうるように設けられる。而して、ソレノイド３０のアクチュエーター３２の先端を作動腕４０の一端の嵌合溝４２に嵌合するとともに他端の逆Ｕ字型連結部４１が回転体３５の凸軸３６に上方より遊嵌され、ソレノイド３０の進退運動で作動腕４０を進退して回転体３５の上部の凸軸３６を進退することにより回転体３５を所定の範囲で正逆回転する。この回転体３５の正逆回転によりその歯車部３５ａが噛み合わされたガイド枠体１４のラック１８がガイド突起７に沿って昇降されてガイド枠体１４が昇降運動され、該ガイド枠体１４の昇降運動により開閉翼片１３が昇降しながら開閉運動される。なお、作動腕を摺動する手段として、案内溝に沿ってガイド突片を摺動する構成としたが、この構造に限られるものではなく収容筺内部で摺動できるようにすることもできる。。
【００３４】
駆動手段を駆動する手段は、遊技機の他の入賞口、図柄表示装置における一般図柄が特定図柄となった場合、或いは確率変動中における特定図柄の一致の場合の制御装置から信号を送り駆動手段を任意の時間駆動できるようにする。この実施形態の場合にはソレノイド３０に遊技盤に備えた役物、例えば図柄表示装置の一般図柄が特定の数字、図柄等表示となった時に駆動されるように設けられ、而して、開閉翼片１３は常時は上限位置で開閉翼片１３が閉じられていて、図柄表示装置の一般図柄が所定の数字等表示となった時に制御装置から発する信号によりソレノイド３０が励磁されて作動腕４０、回転体３５、ガイド枠体１４、開閉翼片１３と基体１のガイド突起７、ガイド孔５ａとにより開閉翼片１３を備えた球誘導可動体１０が降下して下限位置で開閉翼片１３が倒れて開放され、横方向からも打球が転入できるようにされる。この開閉翼片１３の開放時間は制御装置から発する信号によって、長短設定される。例えば、ＣＲ機では確変中はこの可変入賞装置の開閉翼片の開放時間を通常より長くするか、何度も降下させて入賞機会を増大させ、遊戯者の興趣を増大させる。 可変入賞装置の前記ソレノイドを各種役物の制御装置の発する所定の信号に対応して任意の時間励磁して球誘導可動体のガイド手段又はガイド兼回動手段を昇降しうるようにすれば、球誘導可動体の翼片の開閉時間を変位できる。従って、遊戯者にとって、開閉翼片の開放時間が確率変動時等に長くするようにすれば、興趣を増大することができる。
【００３５】
図１０において、この発明の可変入賞装置を備えたパチンコ機の遊技盤５０を示す。５１は発射レール、５２は球戻り防止装置、５３は風車である。５４は図柄表示装置で、一般図柄表示装置５５、保留ランプ５６、特別図柄表示装置５７、保留ランプ５８が備えられている。５９はスルーチャッカー、６０は大入賞口、６１はサイドランプである。
この遊技盤の図柄表示装置５４の直下にこの発明の可変入賞装置を備え、該可変入賞装置を図柄表示装置の一般図柄の制御装置と関連させる。而して、図５、図６の開閉翼片を閉じた状態で、スルーチャッカー５９を打球が通過すると一般図柄５５が始動を開始して予め指定された数字で止まると制御回路を介して可変入賞装置のソレノイド３０に作動信号が送られ、図７乃至図９に示すようにソレノイド３０がバネに抗して励磁されて、作動腕４０が進出され、作動腕４０の先端の逆Ｕ字状連結部４１で回転体３５の凸軸３６が前方へ押されて回転体３５が重り３７に抗して反時計回りに所定ストローク回動運動され、回転体３５の回転運動により回転体３５の歯車部３５ａに噛合させたラック付きガイド枠体１４が基体１のガイド突起７に沿って下降し、このガイド枠体１４の下降に伴い球誘導可動体１０の開閉翼片１３が下降しながら支軸１５を中心として回動されて段々開放され、打球が上方と横方向から転入できる。球誘導可動体１０の下限位置で開閉翼片１３が一番開いた状態で設定時間だけ開放状態が持続される。このとき、球誘導可動体１０の前面板１２が下部の球受入口２の前面板２ａに近接状に嵌合される。
設定時間が経過すると、図５、図６に示すようにソレノイド３０が消磁され、アクチュエーター３２はバネの作用で元に戻され、それに伴い作動腕４０で回転体３５の凸軸３６を引張り、かつ重り３７の自重の作用で回転体３５が時計回りに戻され、ガイド枠体１４が上昇されて開閉翼片１３の基部の歯車部がガイド孔５ａのラック６に沿って回転され、開閉翼片１３が起立状に閉じられる。
【００３６】
前記実施形態では、球誘導可動体の両側に対称に開閉翼片を軸支した場合を説明したが、これに限られるものではなく、球誘導可動体に開閉翼片は設けないで、前面板と基体との間に球誘導口を設け、かつ前面板と背面側のガイド枠体とを前記と同様にガイド孔を介して支軸で結合し、この球誘導可動体を昇降する駆動手段を備え、駆動手段による球誘導可動体の昇降運動で上限位置の第１状態と下限位置の第２状態に変位可能とすることもできる。この可変入賞装置の球誘導可動体を昇降する手段として、該可動体の背面にガイド枠体を設け、基体の背面にガイド突起を設けてガイド枠体を該ガイド突起に沿って昇降可能とするとともに支軸をガイド孔に沿って昇降可能に設け、駆動手段の駆動によりガイド枠体を昇降することにより前面の前面板を共動して昇降して球誘導可動体の位置を上限の第１状態から下限の第２状態まで変位させる。
【００３７】
以上の実施形態を示したが、この発明はこの形態に限定されるものではなく、この発明の要旨を逸脱しない範囲で、種々の形態を実施しうるものである。実施形態では、上限位置で開閉翼片が閉じ、下限位置で開閉翼片が開放される場合で説明したが、これに限られるものではない。
【００３８】
【発明の効果】
この発明によれば、基体の下部の球受入口の上方にガイド部に沿って所定ストローク昇降可能に設けた球誘導可動体を駆動手段により昇降運動させて球誘導可動体を上限位置の第１状態と下限位置の第２状態に変位し、球誘導可動体の第１状態と第２状態において打球の入賞の仕方を変化に富ませて興趣を向上させ、商品価値を向上できる。
【００３９】
この発明によれば、球誘導可動体の背面に設けたガイド枠体を基体に設けた所定ストロークのガイド突起に沿いかつガイド孔に沿って昇降可能に設けたので、球誘導可動体を安定して第１状態から第２状態に昇降することができる。
【００４０】
この発明によれば、基体の下部の球受入口の上方に開閉翼片を備えた球誘導可動体を基体のガイド部に沿って所定ストローク昇降可能に備えるとともに翼片をを基部に設けた回動手段で基体のガイド孔に回動可能に設けて翼片を所定角度の範囲で起倒させ開閉可能に備えたので、駆動手段により球誘導可動体を上限位置の第１状態と下限位置の第２状態に変位するとともに開閉翼片を開閉することができる。
【００４１】
この発明によれば、可変入賞装置の基体の下部の球受入口と上部の球通過ゲートとの間で球誘導可動体を第１状態と第２状態に変位させることができ、上昇した上限位置の第１状態では球通過ゲートの直下に近接させるので、打球は横から入ることなく、上方のみから転入して入賞でき、下降した球受入口の直上の下限位置の第２状態では開閉翼片が倒されて開放されて打球が横方向より入ることができ、入賞の機会を多くでき遊戯者の興趣を高めることができる。また、開閉翼片は常時は上方位置にあるので、球通過ゲートが翼片の上方を覆い隠すので、の上部に直接打球が当たるのを防止できる。
【００４２】
この発明によれば、球誘導可動体のガイド手段として、ガイド枠体を基体のガイド突起に沿って昇降するとともに開閉翼片の基部の歯車部を基体の両側に設けた所定ストロークのガイド孔に設けたラックに噛合させたので、該可動体をガイド孔に沿って昇降することによりラックアンドピニオンの作用で開閉翼片を所定範囲で的確に開閉することができる。
【００４３】
この発明によれば、基体の上部の球通過ゲートと球受入口の間の両側のガイド孔のラックに開閉翼片を備えた球誘導可動体のガイド部の歯車部を噛合させ、ガイド枠体を基体の上限ストッパーと下限ストッパー間で所定ストローク昇降させるとともに該開閉翼片を所定角度の範囲で開閉させ、この昇降させるガイド枠体のラックに歯車部付き回転体を噛合させ、該回転体をソレノイドの進退運動で所定角度範囲で正逆回転させ、その回転体の正逆回転でラックアンドピニオンの作用でガイド枠体を所定ストローク昇降させ、球誘導可動体を的確に第１状態で開閉翼片を閉とし、第２状態で開とすることができるので、興趣を増大することができる。
【００４４】
この発明によれば、球誘導可動体の前面板と下部の球受入口の前面板との対向面を相互に合致しうる形状としたので、球誘導可動体の降下して球受入口上に嵌合して合致させることができ、球誘導可動体を下限位置で位置決めして安定保持できる。また、球誘導可動体と球受入口の前面板の模様、図柄、文字等を合わせるようにすることができる。
【００４５】
この発明によれば、可変入賞装置の前記歯車部付き回転体に復帰用の重りを付けたので、ソレノイドのバネによる復帰時、回転体の重りの自重作用による助力で元の位置に復帰させることができるので、球誘導可動体が上方位置に確実に戻される。
【図面の簡単な説明】
【図１】この発明の可変入賞装置の一部破断正面図である。
【図２】同中央縦断面図である。
【図３】同一部破断平面図である。
【図４】同一部破断背面図である。
【図５】可変入賞装置の別の実施形態で、翼片を閉じた状態の正面図である。
【図６】同側面図である。
【図７】開閉翼片を開放した状態の正面図である。
【図８】同側面図である。
【図９】同平面図である。
【図１０】この発明の可変入賞装置を備えた遊技盤の正面図である。
【符号の説明】
１  基体
２  球受入口
４  球通過ゲート
５  ガイド部
５ａ  ガイド孔
６  ラック
７  ガイド突起
８  上限ストッパー
９  下限ストッパー
１０  球誘導可動体
１２  前面板
１３  開閉翼片
１３ａ  歯車部（回動手段）
１４  ガイド枠体
１５  支軸
１６  ガイドレール
１８  ラック
３０  ソレノイド
３１  連繋手段
３２  アクチュエーター
３５  回転体
３５ａ  歯車部
３６  凸軸
３７  重り
４０  作動腕
【図１】
0003950279.tif 000002
【図２】
0003950279.tif 000003
【図３】
0003950279.tif 000004
【図４】
0003950279.tif 000005
【図５】
0003950279.tif 000006
【図６】
0003950279.tif 000007
【図７】
0003950279.tif 000008
【図８】
0003950279.tif 000009
【図９】
0003950279.tif 000010
【図１０】
0003950279.tif 000011